(57)【要約】【課題】  出力すべき画像の中心位置を容易に調整することができる画像処理装置を提供すること。【解決手段】  入力された画像データをモニター画面に表示させて画像記録枠の調整を行うことができる画像処理装置であって、モニター画面に画像記録枠Ｗを表示させる画像記録枠表示手段７ｂと、入力された画像データのうち、周辺領域の第１データ部分を除いた第２データ部分を画像記録枠Ｗ内に表示させる画像データ表示手段７ｃと、画像記録枠Ｗ内の位置を選択し、その選択された位置が画像幅方向の中心に位置するように第２データ部分を移動させる画像移動手段７ｄと、第２データ部分の移動に伴い、表示される画像と画像記録枠Ｗの間に生じる隙間を第１データ部分により埋め合わせる画像補充手段７ｅとを備えている。【選択図】  図２
2006074584.tif 000002
【特許請求の範囲】
【請求項１】
入力された画像データをモニター画面に表示させて画像記録枠の調整を行うことができる画像処理装置であって、
モニター画面に画像記録枠を表示させる画像記録枠表示手段と、
入力された画像データのうち、周辺領域の第１データ部分を除いた第２データ部分を前記画像記録枠内に表示させる画像データ表示手段と、
画像記録枠内の位置を選択し、その選択された位置が画像の中心に位置するように第２データ部分を移動させる画像移動手段と、
第２データ部分の移動に伴い、表示される画像と画像記録枠の間に生じる隙間を前記第１データ部分により埋め合わせる画像補充手段とを備えていることを特徴とする画像処理装置。
【請求項２】
前記画像補充手段で埋め合わせに使用される第１データ部分は、前記画像の中心への移動により第２データ部分となったものであることを特徴とする請求項１に記載の画像処理装置。
【請求項３】
前記画像補充手段は、前記第１データ部分により完全に埋め合わせできない場合は、単一色の画像データにより埋め合わせを行うことを特徴とする請求項１又は２に記載の画像処理装置。
【発明の詳細な説明】
【技術分野】
【０００１】
本発明は、入力された画像データをモニター画面に表示させて画像記録枠の調整を行うことができる画像処理装置に関するものである。
【背景技術】
【０００２】
現像済み写真フィルムに形成されているコマ画像や、デジタルカメラの記憶媒体等から画像データを入力して、これを写真プリント等に出力するための画像処理装置が知られている。かかる装置は、入力された画像データをモニター画面に表示させて、色・濃度が適切な状態でプリントされるか、赤目補正等の補正を行う必要があるか、トリミングを行うか等の作業（これを「プレジャッジ」と称することがある。）を行う。このプレジャッジ作業を行った後、写真プリントを作成する場合は、写真プリント作成用のプリントデータを生成するようにしている（例えば、下記特許文献１）。
【０００３】
かかる作業の１つとして、画像の中の特定被写体を画像の中心に位置させるための作業がある。例えば、観光地における記念集合写真では、たくさんの人物を集合させた状態で写真撮影を行う。この場合、人物の集合体と背景とをうまくバランスするように、写真撮影を行っているが、常に、うまくいくわけではない。従って、撮影した画像を画像データとして入力した後、モニター画面に表示させた上で、人物の集合体の中の特定の人物が画像の中心に来るように微調整を行う。そのため、オペレータは、画像を見ながら画像のトリミングを行っており、作業が煩雑であった。
【特許文献１】特開２０００−７８３９０号公報
【発明の開示】
【発明が解決しようとする課題】
【０００４】
本発明は上記実情に鑑みてなされたものであり、その課題は、出力すべき画像の中心位置を容易に調整することができる画像処理装置を提供することである。
【課題を解決するための手段】
【０００５】
上記課題を解決するため本発明に係る画像処理装置は、
入力された画像データをモニター画面に表示させて画像記録枠の調整を行うことができる画像処理装置であって、
モニター画面に画像記録枠を表示させる画像記録枠表示手段と、
入力された画像データのうち、周辺領域の第１データ部分を除いた第２データ部分を前記画像記録枠内に表示させる画像データ表示手段と、
画像記録枠内の位置を選択し、その選択された位置が画像の中心に位置するように第２データ部分を移動させる画像移動手段と、
第２データ部分の移動に伴い、表示される画像と画像記録枠の間に生じる隙間を前記第１データ部分により埋め合わせる画像補充手段とを備えていることを特徴とするものである。
【０００６】
この画像処理装置の作用・効果を説明する。入力された画像データは、モニター画面に表示されるが、画像記録枠内に画像記録される画像データ部分が表示される。例えば、写真プリントの作成の場合、プリントされる部分の画像データが表示される。画像データは、第１データ部分と第２データ部分に分けることができ、第２データ部分が画像記録枠内に表示される。第１データ部分は、画像の周辺領域のデータである。つまり、入力された画像データのすべてが画像記録に対して寄与するのではなく、周辺領域を除いた第２データ部分が画像記録に対して寄与する。
【０００７】
画像位置の調整を行う場合、画像記録枠内の位置を選択する。例えば、マウスで画面をクリックすることで選択可能である。そして、その選択された位置が画像の中心（幅方向の中心あるいは上下方向の中心）に位置するように、第２データ部分が移動される。この移動により、第２データ部分により表示されていた画像領域と画像記録枠の間に隙間が生じることがなるので、この隙間を第１データ部分により埋め合わせるようにする。このように、画像記録枠内の位置を選択するだけで、画像の中心を調整することができ、この調整のためにトリミング作業を行う必要がない。その結果、出力すべき画像の中心位置を容易に調整することができる画像処理装置を提供することができる。
【０００８】
本発明において、前記画像補充手段で埋め合わせに使用される第１データ部分は、前記画像の中心への移動により第２データ部分となったものであることが好ましい。
【０００９】
画像の中心の調整を行うと、第１データ部分により埋め合わせを行うが、調整が完了した状態では、画像記録枠内に、埋め合わせに使用した元々第１データ部分であったデータが位置することになる。そして、再度調整を行う場合には、画像記録枠内に存在するデータを新たな第２データ部分として考えることになる。また、元々第２データ部分であったものが、画像記録枠の外に移動した場合は、これを新たな第１データ部分として考えることになる。これにより、画像中心の調整を何度でも行えるようになる。
【００１０】
本発明において、前記画像補充手段は、前記第１データ部分により完全に埋め合わせできない場合は、単一色の画像データにより埋め合わせを行うことが好ましい。
【００１１】
画像の中心位置の調整を行った場合、画像記録枠との間に隙間が生じる場合は、第１データ部分からデータ補充をすることができるが、調整量が大きい場合は、データ補充ができないことがある。その場合、単一色の画像データにより埋め合わせを行う。これにより、調整量が大きすぎたことを認識し易くすると共に、モニター画面における見栄えも損なわなくてすむ。
【発明を実施するための最良の形態】
【００１２】
本発明に係る画像処理装置が用いられている写真処理システムの好適な実施形態を図面を用いて説明する。図１は、写真処理システムの構成を示す模式図である。
【００１３】
＜写真処理システムの構成＞
図１は、現像済み写真フィルム（ネガフィルム、ポジフィルム）に形成されたコマ画像を読み取り、デジタルデータ化し、ペーパー（写真感光材料に相当）に画像を焼付露光し、写真プリントを作成する装置である。フィルムスキャナーＡは、現像済み写真フィルムに形成されたコマ画像を読み取るための装置である。画像読み取り用光源として、ハロゲンランプ１が設けられている。調光フィルター２は、ハロゲンランプ１から照射される光の色バランスを調整する。調光フィルター２は、ハロゲンランプ１の下方に設けられる。ミラートンネル３は、調光フィルター２を通過した光を均一に混色する機能を有する。ミラートンネル３の下方にはフィルムキャリア４が設けられ、写真フィルムＦを一定速度で搬送させるための搬送機構等が設けられている。ＣＣＤラインセンサー５は、可視光による写真フィルムの透過画像データを読み取る。
【００１４】
次に、イメージプロセッサーＢの機能を説明する。イメージプロセッサーＢは、写真プリントを作成するために用いられるプリント用画像データを作成する機能を有する。画像データ保存部６は、フィルムスキャナーＡにより読み取った画像データを保存する。画像処理装置７は、取得した画像データに対して画像処理を施す機能を有する。画像処理の１例として、例えば、色・濃度が適切な写真プリントが作成できるような色・濃度の補正、逆光補正、赤目補正、トリミング等の他、後述するように選択した被写体を画像中心になるように調整する補正がある。画像処理された画像データは、後述の露光エンジンに転送され、写真プリントの作成のために使用される。キーボード８やマウス８ａは、画像処理やその他の写真処理に必要なデータの入力、指令を与えるための入力手段として機能する。モニター９は、写真処理のための必要な情報を表示させる。
【００１５】
次に、プリンタプロセッサーＣの機能を説明する。プリンタプロセッサーＣは、イメージプロセッサーＢで作成された画像データを用いて、写真プリントを作成する機能を有する。ペーパーマガジン１０は、ペーパーがロールＲの形態で収容されており、所定のペーパー幅、ペーパー面質のペーパーが格納されている。
【００１６】
ペーパーマガジン１０から引き出された長尺状のペーパーは、ペーパーカッター１１により、所定のプリントサイズにカットされる。露光エンジン１２は、画像処理装置７において作成された画像データが転送され、これに基づいてペーパーの乳剤面に画像を焼付露光する。ペーパーを一定速度で搬送させながら、露光光を走査することで、画像を走査露光することができる。露光エンジン１２としては、レーザーエンジン、ＰＬＺＴエンジン、ＣＲＴエンジン等の適宜の方式のものを採用することができる。画像が焼付露光されたペーパーは、搬送機構１３により搬送され、現像処理部１４に送り込まれる。
【００１７】
現像処理部１４において現像処理されたペーパーは、乾燥処理部１５に送り込まれ、乾燥処理が施され、ペーパー排出部１６から仕上がりの写真プリントとして排出される。
【００１８】
＜画像処理装置の構成＞
次に、画像処理装置７の主要な機能について図２のブロック図により説明する。画像処理装置７は、入力された画像データに基づいて写真プリントを作成するにあたり、適切な写真プリントが作成できるような作業を行うためのものであり、この作業をプレジャッジと称している。図３は、プレジャッジ作業を行う場合のモニター画面の構成例を示している。
【００１９】
図３において、入力された画像データのうち。６枚分の画像が表示されている。プレジャッジあるいは写真プリントの処理は１オーダー単位で行われ、１オーダーに含まれる画像のうちの６枚分が一度にモニター画面に表示される。ここで、１オーダーとは、写真フィルム１本分、あるいは、記憶媒体１個分の処理に相当するものである。モニター画面に表示させる画像の枚数については、他の枚数（例えば、４枚、８枚など）を設定することができ、画像処理装置７には、そのために表示モード選択手段７ｆの機能が設けられている（図３参照）。
【００２０】
図３において、プレジャッジの対象となる画像は、マウス８ａ等により選択することができ、選択された画像４０は選択枠４０ａにより囲まれる（図３の上段真中の画像を参照）。補正データ入力枠４１は、選択された画像について、色・濃度の補正を行いたい場合に、その補正データを入力するために設けられている。色はＹ（イエロー），Ｍ（マゼンタ），Ｃ（シアン）についての補正データを個別に入力できるようにしている。プリント枚数入力枠４２には、その画像をプリントしたい枚数を入力する。なお、モニター画面に表示される画像は、サムネイル画像であり、そのためのサムネイル画像生成手段７ａの機能が設けられる。サムネイル画像の大きさは、モニター画面に表示される画像の枚数等により異なってくる。サムネイル画像データは、オリジナルの画像データの間引き処理などにより生成することができる。
【００２１】
＜画像位置調整機能＞
次に、画像位置調整機能について説明する。その機能を図４に基づいて説明する。図４は、観光地における記念写真の一例であり、多くの人物の集合写真である。オリジナルの画像データは領域Ｇで示されるが、実際に写真プリントとして作成する場合には、画像データのすべてを用いるのではなく、周辺領域を除いた部分が写真プリント作成のために利用される。写真プリント作成に利用される領域を枠Ｗで示している。
【００２２】
図４において、周辺領域の画像データを第１データ部分Ｇ１と称し、それ以外のプリント用の画像データを第２データ部分Ｇ２と称する。図３において、例えば画像をクリックすることで、その画像についての１コマ拡大画面に移行し、これを図５に示す。図５において、画像記録枠Ｗが画面に表示されると共に、画像記録枠内に第２データ部分に基づいた画像が表示される。従って、オペレータは、この画面を見ることで、写真プリントとして作成される領域を確認することができる。１コマ拡大画面で表示される画像は、サムネイル画像であってもよいし、オリジナル画像データをそのまま表示させるようにしてもよい。画像記録枠Ｗを表示させる機能は画像記録枠表示手段７ｂの機能に基づくものであり、画像記録枠Ｗ内に第２データ部分を表示させる機能は、画像データ表示手段７ｃの機能に基づくものである（図３参照）。
【００２３】
図４に示すように、画像データ領域の全体に対して、画像記録枠Ｗをどのような位置に設定するかは、予め設定されている。すなわち、画像記録枠Ｗと画像データ全体領域Ｇの左辺及び右辺との隙間ｘ１，ｘ２、下辺及び上辺との隙間ｙ１，ｙ２については、予め設定されている。通常は、ｘ１＝ｘ２でありｙ１＝ｙ２である。
【００２４】
図４に例示するような、人物の集合体を撮影する場合、集合体が画像記録枠Ｗ内にバランスよく配置されることが重要であり、写真撮影者もそのような点を考慮しつつ撮影を行うが、実際は難しい面もあるので、それをモニター画面において調整できるようにしている。図４の例示では、人物の集合体が若干左寄りになっている。そこで、集合体の中の人物Ｈに着目すると、人物Ｈは画像の幅方向中心よりも若干左寄りに位置しており、この人物Ｈを中央に持ってくると、全体のバランスがよくなる。
【００２５】
そこで、図５に示すように人物Ｈの適宜の個所Ｋをマウス８ａでクリックする。画像の幅方向の中心線をＣで表わすと、クリックした個所Ｋが中心線Ｃになるように自動的に処理する。これは、画像処理装置７の画像移動手段７ｄの機能に基づくものである。
【００２６】
また、クリックした個所Ｋを中心線Ｃに持ってくると、第２データ部分の領域の左側に隙間が生じることになる。その隙間部分を埋めるために、第１データ部分の画像データを用いて隙間を埋め合わせる。この埋め合わせは、画像補充手段７ｅの機能に基づくものである。図６は、画像を移動した状態を示す。このように、画像の中心に持ってきたい場所をクリックするだけで、その場所を画像の中心に移動させることができる。図６によりオペレータは画像記録枠Ｗに対する集合体の位置の確認を行うことができる。さらに、微調整を行いたい場合は、中心に持ってきたい場所をクリックすればよい。画像位置を調整して移動させた場合、画像記録枠内に表示されているのが新たな第２データ部分となる。画像を移動させることにより、第１データ部分及び第２データ部分の境界は変わる。
【００２７】
図５に示すように、クリックした個所Ｋと中心線Ｃとの距離Δｘが、図４に示すｘ１よりも小さい場合は、第１データ部分による埋め合わせにより、画像記録枠Ｗ内に常に画像データが表示される状態になる。しかし、Δｘ＞ｘ１の場合は、第１データ部分によりすべてを埋め合わせることができない。この場合は、埋め合わせをできない範囲を、単一色の画像データに基づいて表示させるようにする（図７の斜線部分参照）。これにより、オペレータは、移動調整量が大きすぎたことを認識することができ、再調整を行うようにできる。また、単一色を表示させることで、モニター画面の見栄えを損なわなくてすむ。なお、単一色にする場合の色は適宜決めることができる。
【００２８】
＜別実施形態＞
図５の例では、画像の幅方向（左右方向）についての調整を説明したが、画像の上下方向の調整についても同様に行うことができる。また、画像の左右と上下を同時に調整できるようにしてもよい。
【００２９】
本実施形態の写真処理システムは、写真フィルムの画像データに基づいて写真プリントを作成するシステムであるが、デジタルカメラの記憶媒体等から画像データを取得して、これに基づいて写真プリントを作成してもよい。また、入力された画像データを用いて写真プリントを作成するのではなく、ＣＤ−Ｒ等の記憶媒体に画像データを書き込む場合にも本発明は応用できるものである。
【００３０】
図５等に示すモニター画面の表示例では、画像記録枠Ｗ内に表示される第２データ部分のみが示されているが、第１データ部分も合わせて表示するようにしてもよい。
【図面の簡単な説明】
【００３１】
【図１】写真処理システムの構成を示す模式図
【図２】画像処理装置の機能を示すブロック図
【図３】プレジャッジを行う場合のモニター画面の構成例を示す図
【図４】画像データ領域全体と画像記録枠の関係を示す図
【図５】画像の移動調整の方法を示す図
【図６】画像を移動調整した後の状態を示す図
【図７】画像の移動調整量が大きすぎた場合の例を示す図
【符号の説明】
【００３２】
６      画像データ保存部
７      画像処理装置
７ａ    サムネイル画像生成手段
７ｂ    画像記録枠表示手段
７ｃ    画像データ表示手段
７ｄ    画像移動手段
７ｅ    画像補充手段
Ｇ      画像データ領域
Ｇ１    第１データ部分
Ｇ２    第２データ部分
Ｗ      画像記録枠
【図１】
2006074584.tif 000003
【図２】
2006074584.tif 000004
【図３】
2006074584.tif 000005
【図４】
2006074584.tif 000006
【図５】
2006074584.tif 000007
【図６】
2006074584.tif 000008
【図７】
2006074584.tif 000009